(57)【要約】      （修正有）【課題】多数の積層された三次元顔面成形体保持具を容易に印刷機の三次元顔面成形体保持具装填部の三次元顔面成形体保持具装填孔に容易に装填することのできる三次元顔面成形体保持具装填用カートリッジを提供する。【解決手段】三次元顔面成形体保持具６を積層して保持するための縦方向に延長する二本の挟持バー２，３と、これらを引き上げる把手部１とが一体的に形成され、該挟持バー２，３の下端外側に仮止めテープ４の両端が下端外側まで折り曲げられて、両面粘着テープ５１，５２で粘着仮止めされている。又は仮止めテープ４の片面に粘着剤が施されているものでも同様に使用することができる。凸条２１が三次元顔面成形体保持具６に形成された凹部に挿通されて、該三次元顔面成形体保持具６が積層保持される。【選択図】図４
0003134172.tif 000002
【実用新案登録請求の範囲】
【請求項１】
三次元顔面成形体保持具を積層して保持するための縦方向に延長する二本の挟持バーと該挟持バーの上端部を連結する連結部と、これらを引き上げる把手部とが一体的に形成され、仮止めテープ又は片側粘着剤付テープの両端が両方又は片方の挟持バーの下端外側で両面粘着テープによって粘着仮止めされていることを特徴とする三次元顔面成形体保持具用カートリッジ。
【請求項２】
三次元顔面成形体保持具を積層して保持するための縦方向に延長する二本の挟持バーの内側に縦方向に延長する凸条が、該挟持バーと一体的に形成され、該凸条が三次元顔面成形体保持具に形成された凹部に挿通されて、該三次元顔面成形体保持具が積層保持されるように構成したことを特徴とする請求項１記載の三次元顔面成形体保持具用カートリッジ。
【請求項３】
三次元顔面成形体保持具に形成された凹部は断面が部分的な円形又は多角形又は三角形であり、該凹部に挿通される挟持バーの内側に縦方向に延長する凸条は部分的な円形又は多角形又は三角形であり、その大きさが前記凹部より小さく形成されていることを特徴とする請求項１記載の三次元顔面成形体保持具用カートリッジ。
【請求項４】
三次元顔面成形体保持具を積層して収納する筒体の上部に把手部を有し、開放された下方には、仮止めテープ又は片側粘着剤付テープの両端が、筒体の下端外側で片方又は両方に両面粘着テープによって粘着仮止めされていることを特徴とする三次元顔面成形体保持具用カートリッジ。
【考案の詳細な説明】
【技術分野】
【０００１】  本考案は、三次元顔面成形体保持具装填用カートリッジに関するもので、多数の積層された三次元顔面成形体保持具を容易に印刷機の三次元顔面成形体保持具装填部の三次元顔面成形体保持具装填孔に容易に装填することのできる三次元顔面成形体保持具装填用パッケージを提供するものである。
【背景技術】
【０００２】  従来、二次元的なプリントクラブ（登録商標）は、更に三次元の成形体に好みの画像を印刷して販売する装置が開発されているが、その例として、特開２００４−３６２５４０や特開２００６−３５５６２公報が開示されている。【０００３】  前記せる特開２００４−３６２５４０号公報は人形キット販売機であるが、顔型に対する印刷は購入者の顔の実物画像に基づいて印刷するのではなく、類型化された顔人形の画像に基づいて印刷を行うものであって、印刷された顔人形とともに、選択された髪型と胴体衣装部とを袋にいれて供給口に提供するカートリッジ装置を備えるものである。【０００４】  また、前記せる特開２００６−３５５６２号公報はそっくり人形の制作方法であるが、多数の顔型をセットした顔型保持ベースを搬送トレーで移動し、対応する部位に印刷するものである。【０００５】
【特許文献１】  特開２００４−３６２５４０号公報
【特許文献２】  特開２００６−３５５６２号公報
【考案の開示】
【考案が解決しようとする課題】
【０００６】  本考案は多数の積層された三次元顔面成形体保持具を容易に印刷機の三次元顔面成形体保持具装填部の三次元顔面成形体保持具装填孔に容易に装填することのできる三次元顔面成形体保持具装填用カートリッジを提供するものである。
【課題を解決するための手段】
【０００７】
【０００８】  三次元顔面成形体保持具を積層して保持するための縦方向に延長する二本の挟持バーと該挟持バーの上端部を連結する連結部と、これらを引き上げる把手部とが一体的に形成され、仮止めテープ又は片側粘着剤付テープの両端が両方又は片方の挟持バーの下端外側で両面粘着テープによって粘着仮止めされており、三次元顔面成形体保持具を積層して保持するための縦方向に延長する二本の挟持バーの内側に縦方向に延長する凸条が、該挟持バーと一体的に形成され、該凸条が三次元顔面成形体保持具に形成された凹部に挿通され、該三次元顔面成形体保持具が積層保持されるように構成されており、三次元顔面成形体保持具に形成された凹部は断面が部分的な円形又は多角形又は三角形であり、該凹部に挿通される挟持バーの内側に縦方向に延長する凸条は部分的な円形又は多角形又は三角形であり、その大きさが前記凹部より小さく形成されている三次元顔面成形体保持具用カートリッジを提供し、且つ、三次元顔面成形体保持具を積層して収納する筒体の上部に把手部を有し、開放された下方には、仮止めテープ又は片側粘着剤付テープの両端が、筒体の下端外側で両面粘着テープによって粘着仮止めされていることを特徴とする三次元顔面成形体保持具用カートリッジを提供する。
【考案の効果】
【０００９】  本考案の三次元顔面成形体保持具用カートリッジによれば、積層して保持された三次元顔面成形体保持具を印刷機の三次元顔面成形体保持具用装填部に容易に挿入し、把手を持って該三次元顔面成形体保持具用カートリッジを引き抜くことで、三次元顔面成形体保持具を三次元顔面成形体保持具用装填部に容易に装填することができる。
【考案を実施するための最良の形態】
【００１０】  以下、図面に示す実施例に基づいて本考案の構成を具体的に説明する。
図面において、図１は本考案に係る三次元顔面成形体保持具装填用カートリッジの上面図である。図２は本考案に係る三次元顔面成形体保持具装填用カートリッジの正面図である。図３は本考案に係る三次元顔面成形体保持具装填用カートリッジに三次元顔面成形体保持具を積層充填した正面図である。図４は本考案に係る三次元顔面成形体保持具装填用パッケージに三次元顔面成形体保持具を充填する際の部分斜視図である。図５は本考案に係る三次元顔面成形体保持具の平面図である。図６は図２のＢ−Ｂ線断面図である。図７は本考案に係る三次元顔面成形体保持具装填用カートリッジの他の実施例を示す斜視図である。【００１１】  図１乃至図２に示すように、本考案の三次元顔面成形体装填用カートリッジＡは、三次元顔面成形体保持具を積層して保持するための縦方向に延長する二本の挟持バー２，３と、該挟持バー２，３の上端部がこれらを引き上げる把手部１とに一体的に形成され、該挟持バー２，３の下端外側に仮止めテープ４の両端が両面粘着テープ５１，５２で粘着仮止めされるようになっている。又は仮止めテープ４の片面に粘着剤が施されているものでも同様に使用することができる。【００１２】  図３に示すように、三次元顔面成形体保持具６を積層して保持するための縦方向に延長する二本の挟持バー２，３と、これらを引き上げる把手部１とが一体的に形成され、該挟持バー２，３の下端外側に仮止めテープ４の両端が下端外側まで折り曲げられて、両面粘着テープ５１，５２で粘着仮止めされている。又は仮止めテープ４の片面に粘着剤が施されているものでも同様に使用することができる。【００１３】  三次元顔面成形体保持具６には三次元顔面成形体６１が図４に示すように取り付けられており、三次元顔面成形体保持具６は横方向に離脱することはない。すなわち、三次元顔面成形体保持具を積層して保持するための縦方向に延長する二本の挟持バー２，３の内側に縦方向に延長する凸条２１，３１が、該挟持バー２，３と一体的に形成されており、該凸条２１，３１が図５に示す三次元顔面成形体保持具６に形成された凹部６２，６３に挿通されて、該三次元顔面成形体保持具６が積層保持されるように構成されている。更に、三次元顔面成形体保持具６に形成された凹部６２，６３は断面が部分的な円形又は多角形又は三角形であり、該凹部６２，６３に挿通される挟持バー２，３の内側に縦方向に延長する凸条２１，３１は断面が部分的な円形又は多角形又は三角形であり、その大きさが前記凹部６２，６３より僅かに小さく形成されているので容易に挿通できても、前記凹部６２，６３の開口部より凸条２１，３１が横方向に離脱しない寸法で形成されている。【００１４】  三次元顔面成形体保持具６を印刷機の三次元顔面成形体保持具装填部７の三次元顔面成形体保持具装填孔７１に装填するとき、仮止めテープ４の一端を両面粘着テープ５２から剥がし、三次元顔面成形体装填用カートリッジＡを三次元顔面成形体保持具装填孔７１に挿入し、次いで把手部１を引き上げると、複数の三次元顔面成形体保持具６が三次元顔面成形体保持具装填孔７１内に取り残されて複数の三次元顔面成形体保持具６が簡単に装填される。【００１５】  仮止めテープ４の他端は挟持バー��の両面粘着テープ５１に粘着されたままなので、把手部１を引き上げると挟持バー２，３と共に引き上げられる。【００１６】  また、図７に示す三次元顔面成形体装填用カートリッジＣは、三次元顔面成形体保持具６を積層して収納する筒体９の上部に把手部８を有し、開放された下方には、該仮止めテープ４の両端が、筒体９の下端外側で両面粘着テープ５１，５２によって仮止めされている。又は仮止テープ４は片面にあらかじめ粘着剤を施したものでも同様に使用することができる。【００１７】  したがって、三次元顔面成形体保持具６を印刷機の三次元顔面成形体保持具装填部７の三次元顔面成形体保持具装填孔７１に装填するとき、仮止めテープ４の一端を両面粘着テープ５２から剥がし、三次元顔面成形体装填用カートリッジＣを三次元顔面成形体保持具装填孔７１に挿入し、次いで把手部８を引き上げると、複数の三次元顔面成形体保持具６が三次元顔面成形体保持具装填孔７１内に取り残されて簡単に装填が完了する。
【図面の簡単な説明】
【００１８】
【図１】本考案の実施例に係る三次元顔面成形体保持具装填用カートリッジの上面図である。
【図２】本考案の実施例に係る三次元顔面成形体保持具装填用カートリッジの正面図である。
【図３】本考案の実施例に係る三次元顔面成形体保持具装填用カートリッジに三次元顔面成形体保持具を積層充填した正面図である。
【図４】本考案の実施例に係る三次元顔面成形体保持具装填用カートリッジに三次元顔面成形体保持具を充填する際の部分斜視図である。
【図５】本考案の実施例に係る三次元顔面成形体保持具の平面図である。
【図６】図２のＢ−Ｂ線断面図である。
【図７】本考案の実施例に係る三次元顔面成形体保持具装填用カートリッジの他の実施例を示す斜視図である。
【符号の説明】
【００１９】  １．把手部
２．挟持バー
２１．凸条
３．挟持バー
３１．凸条
４．仮止めテープ
５１．両面粘着テープ
５２．両面粘着テープ
６．三次元顔面成形体保持具
６１．三次元顔面成形体
６２．凹部
６３．凹部
７．印刷機の三次元顔面成形体保持具装填部
７１．三次元顔面成形体保持具装填孔
８．把手部
９．筒体
Ａ．三次元顔面成形体保持具装填用カートリッジ
Ｃ．三次元顔面成形体保持具装填用カートリッジ
【図１】
0003134172.tif 000003
【図２】
0003134172.tif 000004
【図３】
0003134172.tif 000005
【図４】
0003134172.tif 000006
【図５】
0003134172.tif 000007
【図６】
0003134172.tif 000008
【図７】
0003134172.tif 000009